(57)【要約】【課題】  使用者が自由に組み合わせて使用することで誕生日や記念日など「特別な日」を表現可能とする。【解決手段】１月から１２月までの任意の月の特徴を現すデザインが施されているしおり本体Ａと、１日から３１日までの任意の数字が付与されているタグＢとからなり、前記タグＢを前記しおり本体Ａに着脱可能に設けることにより、これらしおり本体ＡとタグＢとの組み合わせによってオリジナルのしおりを作製可能とする。【選択図】  図３
0003107981.tif 000002
【実用新案登録請求の範囲】
【請求項１】
任意の月を現すしおり本体と、任意の日を現すタグとからなり、前記タグが前記しおり本体に着脱可能に設けられていることを特徴とするオリジナルしおり。
【請求項２】
前記しおり本体が１月から１２月までの１２種類用意されており、前記タグが１日から３１日までの３１種類用意されており、これらしおり本体とタグとの組み合わせによってオリジナルのしおりが作製されることを特徴とする請求項１に記載のオリジナルしおり。
【請求項３】
前記しおり本体には、各月の特徴を現すデザインが施されていることを特徴とする請求項２に記載のオリジナルしおり。
【請求項４】
前記タグには、１日から３１日までの任意の数字が付与されていることを特徴とする請求項２または請求項３に記載のオリジナルしおり。
【請求項５】
前記しおり本体と前記タグとが紐部材によって着脱可能に連接されていることを特徴とする請求項１ないし請求項４のいずれかに記載のオリジナルしおり。
【考案の詳細な説明】
【技術分野】
【０００１】
本考案は、本などに挟んで使用するしおりに関し、特に、使用者が自由に組み合わせて使用することで誕生日や記念日など「特別な日」を表現することのできるオリジナルしおりに関する。
【背景技術】
【０００２】
従来より、デザイン的に可愛らしく工夫を凝らせたしおりや、種々の機能を付加したしおりなどが提案されている。
【０００３】
例えば、デザイン的に可愛らしく工夫を凝らせたしおりの例としては、退色防止処理防腐処理した緑色植物の葉を真空包装用袋に入れ真空パックした緑色植物の葉のしおり（例えば、特許文献１参照）などが提案されている。
【０００４】
また、種々の機能を付加したしおりの例としては、本体１の片面または両面に、着脱可能な接着剤により薄膜状の小片２を貼り付けておき、この小片をはがして本などの必要箇所に張り付けるようにしたしおり（例えば、特許文献２参照）や、切符、入場券、乗車券、購入券等のチケットにしおりを連接したしおり付きチケット（例えば、特許文献３参照）なとが提案されている。
【特許文献１】実開平０７−３５０５９号公報
【特許文献２】実用新案登録第３０１３７３４号公報
【特許文献３】実用新案登録第２５６９０１３号公報
【考案の開示】
【考案が解決しようとする課題】
【０００５】
上記従来技術のしおりは、いずれもしおり自体のデザイン性に工夫を凝らしたり、しおりを多機能とすることで使い勝手を向上させたものである。このようなデザイン性や多機能化の工夫は種々されているものの、使用者が誕生日や記念日など「特別な日」をしおりを通じて自由に表現できるようにしたしおりに関しては、従来全く提案されていない。使用者にとっては、しおりを通じて自己あるいは特定の人との「記念日」等を表現できれば、それは使用者自身にとって特別なしおりとなる。
【０００６】
本考案はかかる点に着目して創案したものであり、その目的は、使用者が自由に組み合わせて使用することで誕生日や記念日など「特別な日」を表現することのできるオリジナルしおりを提供することにある。
【課題を解決するための手段】
【０００７】
上記目的を達成するため、本考案のオリジナルしおりは、任意の月を現すしおり本体と、任意の日を現すタグとからなり、前記タグが前記しおり本体に着脱可能に設けられていることを特徴とする。
【０００８】
具体的には、前記しおり本体が１月から１２月までの１２種類用意されており、前記タグが１日から３１日までの３１種類用意されており、これらしおり本体とタグとの組み合わせによって、例えば使用者の誕生日や記念日などの「特別な日」を表現したオリジナルのしおりを作製することが可能となる。
【０００９】
すなわち、前記しおり本体には、各月の特徴を現すデザイン（例えば、１２月であればクリスマスツリー等）が施されている。また、前記タグには、１日から３１日までの任意
の数字が付与されている。従って、例えば使用者が１２月１６日生まれであれば、１２月を現すしおり本体に、１６日と記載されたタグを組み合わせることによって、自己の誕生日を表現したオリジナルしおりを作製することができる。
【００１０】
また、しおり本体とタグとの着脱方法としては、しおり本体に設けられたフック部材に、タグに設けられた係合部材を係合することで直接取り付けてもよいし、あるいはしおり本体に取り付けられた例えば鎖状の紐部材の先端部にフック部材を設けておき、このフック部材に、タグに設けられた係合部材を係合することで取り付けるようにしてもよい。
【考案の効果】
【００１１】
本考案のオリジナルしおりによれば、使用者の誕生日や記念日など「特別な日」を表現したオリジナルのしおりを作製することができる。
【考案を実施するための最良の形態】
【００１２】
以下、本考案の実施の形態について図面を参照して説明する。
【００１３】
図１は、本考案のオリジナルしおりのしおり本体Ａを示す説明図、図２は、しおり本体Ａに着脱可能に組み合わされるタグＢを示す説明図、図３は、しおり本体ＡにタグＢを取り付けた状態を示す説明図である。
【００１４】
本考案のオリジナルしおりは、しおり本体Ａが１月から１２月までの１２種類（Ａ１〜Ａ１２）用意されており、タグＢが１日から３１日までの３１種類（Ｂ１〜Ｂ３１）用意されている。そして、これらしおり本体ＡとタグＢとを任意に組み合わせることによって、使用者の誕生日や記念日などの「特別な日」を表現したオリジナルしおりが作製可能となっている。
【００１５】
しおり本体Ａ１〜Ａ１２は、図１に示すように、短冊状に形成されており、その表面に、各月の特徴を現すデザインがキャラクターとともに施されている。この例では、キャラクターは読書するベア（熊）であり、例えばゴールド地の金属メッシュに繊細なラインでイラストが彫り込まれている。
【００１６】
そして、１月を現すしおり本体Ａ１には、スキーでジャンプしながら読書するベアが表現されており、２月を現すしおり本体Ａ２には、バレンタインのプレゼントを用意した読書するベアが表現されており、３月を現すしおり本体Ａ３には、早春の眠気さを現した読書しながら昼寝をしているベアが表現されている。また、４月を現すしおり本体Ａ４には、鳥がさえずる木立の下の切り株に座って読書するベアが表現されており、５月を現すしおり本体Ａ５には、鯉のぼりを持った読書するベアが表現されており、６月を現すしおり本体Ａ６には、梅雨をイメージさせる傘をさして読書するベアが表現されている。また、７月を現すしおり本体Ａ７には、浮輪の中で読書するベアが表現されており、８月を現すしおり本体Ａ８は、夏祭りをイメージしたベアが表現されており、９月を現すしおり本体Ａ９には、お月見をしている読書するベアが表現されている。また、１０月を現すしおり本体Ａ１０には、ハロウィンをイメージした読書するベアが表現されており、１１月を現すしおり本体Ａ１１には、栗や落ち葉などを配置して初冬をイメージした読書するベアが表現されており、１２月を現すしおり本体Ａ１２には、クリスマスをイメージした読書するベアが表現されている。ただし、各月のイメージは、上記実施形態に限定されるものではない。例えば、３月を現すしおり本体Ａ３は、お雛さま飾りを配置した表現としてもよいし、４月を現すしおり本体Ａ４は、桜の木や花びらを配置して、入学式をイメージした表現としてもよい。
【００１７】
なお、本実施形態では、各しおり本体Ａ１〜Ａ１２の上部に、それぞれの月を英語で表
記している。このように英語も付記することで、各月が使用者にとってより明確に理解できるようにしている。
【００１８】
また、上記構成の各しおり本体Ａ１〜Ａ１２には、例えば３月を現すしおり本体Ａ３に代表して示されているように、しおり本体Ａ３の上部に小孔１１が設けられており、この小孔に鎖部材２１の一方の端部が２連のリング部材２２を介して連接されている。また、この鎖部材２１の他方の端部には、後述するタグＢを着脱可能に連結するためのフック部材２３が取り付けられている。
【００１９】
一方、タグＢ１〜Ｂ３１は、図２にその一部を示すように、その輪郭がベアの形となっており、その顔部分に１から３１までの任意の数字が表記されている。また、一方の耳の部分に小孔３１が設けられており、この小孔３１に、２連のリング部材４１の一方のリングが連接されている。
【００２０】
本実施形態では、上記のように構成された１２種類のしおり本体Ａ１〜Ａ１２と３１種類のタグＢ１〜Ｂ３１とを任意に組み合わせることによって、使用者の誕生日や記念日などの「特別な日」を表現したオリジナルしおりを作製することができる。例えば、使用者の誕生日が５月１４日であれば、５月を現すしおり本体Ａ５と、１４の数字が表記されたタグＢ１４とを組み合わせることによって、図３に示すように、５月１４日を表現したオリジナルしおりが作製される。
【００２１】
なお、上記実施形態では、しおり本体ＡとタグＢとを鎖部材（紐状部材）２１を介して連接する構成としているが、例えば図４に示すように、しおり本体Ａ５の小孔１１にフック部材２３を直接連接し、このフック部材２３に、タグＢ１４の小孔３１に連接されたリング部材４１を着脱可能に連結する構成としてもよい。
【００２２】
また、上記実施形態では、しおり本体Ａは単なる短冊形状とし、その中に、各月をイメージしたデザインを施すことで、各月を差別化しているが、各月を現す手法はこのような手法に限定されるものではない。例えば図５に示すように、しおり本体Ａそのものを、各月を現すものにイメージ化してもよい。具体的には、しおり本体Ａ自体を、各月を代表する花の形にデザインし、これに、各日を現す花びらの形に形成されたタグＢを例えば鎖部材２１を介して着脱可能に取り付けるようにしてもよい。また、タグＢは、花の形にデザインしたしおり本体Ａの鉢の部分に着脱可能に貼り付けるようなプレート形状としてもよい。
【図面の簡単な説明】
【００２３】
【図１】本考案のオリジナルしおりのしおり本体を示す説明図である。
【図２】しおり本体に着脱可能に組み合わされるタグを示す説明図である。
【図３】しおり本体にタグを取り付けた状態を示す説明図である。
【図４】しおり本体にタグを取り付けた状態の他の実施形態を示す説明図である。
【図５】本考案のオリジナルしおりの他の実施形態を示す説明図である。
【符号の説明】
【００２４】
Ａ，Ａ１〜Ａ１２  しおり本体
Ｂ，Ｂ１３〜Ｂ３１  タグ
【図１】
0003107981.tif 000003
【図２】
0003107981.tif 000004
【図３】
0003107981.tif 000005
【図４】
0003107981.tif 000006
【図５】
0003107981.tif 000007